(57)【要約】【課題】駆動電流に応じた輝度で発光する電気光学素子を用いた電気光学装置において、表示対象に応じて、電気光学素子の駆動モードを切り替えることにより、全体的な表示品質の改善を図る。【解決手段】カウント部６は、あるフレームの画像データを構成する所定のビット列において、所定のビットレベルの個数をカウント値として算出し、このフレームに関するカウント値を従前のフレームに関するカウント値と比較することによって、動画の判別を走査線単位で行う。駆動モード選択部７は、カウント部６の判別結果に基づいて、画素２の駆動モードを走査線単位で選択する。【選択図】図１
2004252105.tif 000002
【特許請求の範囲】
【請求項１】
電気光学装置において、
複数の走査線と、
複数のデータ線と、
前記走査線と前記データ線との交差に対応して設けられた複数の画素であって、かつ、前記複数の画素のそれぞれが、データを保持する保持手段と、前記保持手段に保持されたデータに応じて、駆動電流を設定する駆動素子と、当該設定された駆動電流に応じた輝度で発光する電気光学素子とを有する複数の画素と、
前記走査線に走査信号を出力することにより、データの書込対象となる画素に対応する前記走査線を選択する走査線駆動回路と、
前記走査線駆動回路と協働し、前記書込対象となる画素に対応する前記データ線にデータを出力するデータ線駆動回路と、
あるフレームの画像データを構成する所定のビット列において、所定のビットレベルの個数をカウント値として算出し、当該フレームに関する前記カウント値を従前のフレームに関する前記カウント値と比較することによって、動画の判別を走査線単位で行うカウント部と、
前記カウント部における判別結果に基づいて、前記画素の駆動モードを走査線単位で選択する駆動モード選択部とを有し、
前記駆動モード選択部は、
前記動画表示を行う画素に関しては、前記書込対象となる画素に対応する前記走査線が選択されてから当該走査線が次に選択されるまでの期間よりも短い第１の発光期間で、前記電気光学素子を駆動させる第１の駆動モードを設定し、
前記動画表示を行わない画素に関しては、前記書込対象となる画素に対応する前記走査線が選択されてから当該走査線が次に選択されるまでの期間において、前記第１の発光期間よりも長い第２の発光期間で、前記電気光学素子を駆動させる第２の駆動モードを設定することを特徴とする電気光学装置。
【請求項２】
前記第１の駆動モードはインパルス駆動であり、前記第２の駆動モードはホールド駆動であることを特徴とする請求項１に記載された電気光学装置。
【請求項３】
前記カウント部は、前記カウント値を規定するビット列の一部、または、前記画像データを構成するビット列の一部を用いて、動画の判別を行うことを特徴とする請求項１または２に記載された電気光学装置。
【請求項４】
前記カウント部は、あるフレームに関する前記カウント値を従前の複数のフレームに関する前記カウント値と比較することによって、動画の判別を行うことを特徴とする請求項１から３のいずれかに記載された電気光学装置。
【請求項５】
前記画素のそれぞれは、前記電気光学素子に供給される前記駆動電流の電流経路中に設けられ、パルス信号に応じて導通制御される制御素子を含み、
前記駆動モード選択部によって選択された前記駆動モードに応じて、前記パルス信号の波形を変化させる駆動モード切替回路をさらに有することを特徴とする請求項１から４のいずれかに記載された電気光学装置。
【請求項６】
前記駆動モード切替回路は、前記第１の駆動モードの選択時には、前記パルス信号のレベルを交互に変化させ、前記第２の駆動モードの選択時には、前記パルス信号を一定レベルに維持することを特徴とする請求項５に記載された電気光学装置。
【請求項７】
前記駆動電流は、前記画素に接続された第１の電源線から前記画素に接続された第２の電源線に向かって流れ、
前記駆動モード選択部によって選択された前記駆動モードに応じて、前記第１の電源線または前記第２の電源線の少なくとも一方の電圧の可変に設定する電源線制御回路をさらに有することを特徴とする請求項１から４のいずれかに記載された電気光学装置。
【請求項８】
前記電源線制御回路は、前記第１の駆動モードの選択時には、前記第１の電源線または前記第２の電源線の少なくとも一方の電圧を可変に設定することにより、前記電気光学素子に順バイアスと非順バイアスとを交互に繰り返し印加し、前記第２の駆動モードの選択時には、前記第１の電源線および前記第２の電源線の電圧を一定にすることにより、前記電気光学素子に順バイアスを印加することを特徴とする請求項７に記載された電気光学装置。
【請求項９】
前記データ線駆動回路は、前記第１の駆動モードの選択時には、値の異なる複数のレベル値で構成された第１のグループの中から、階調データに応じたレベル値を前記画素に供給するデータとして選択し、前記第２の駆動モードの選択時には、値の異なる複数のレベル値で構成された第２のグループの中から、階調データに応じたレベル値を前記画素に供給するデータとして選択し、かつ、同一の中間階調を規定する前記レベル値に関して、前記第１のグループの方が前記第２のグループよりも高いレベル値に設定されていることを特徴とする請求項１から８のいずれかに記載された電気光学装置。
【請求項１０】
電気光学装置において、
複数の走査線と、
複数のデータ線と、
前記走査線と前記データ線との交差に対応して設けられた複数の画素であって、かつ、前記複数の画素のそれぞれが、データを保持する保持手段と、前記保持手段に保持されたデータに応じて、駆動電流を設定する駆動素子と、当該設定された駆動電流に応じた輝度で発光する電気光学素子とを有する複数の画素と、
前記走査線に走査信号を出力することにより、データの書込対象となる画素に対応する前記走査線を選択する走査線駆動回路と、
前記走査線駆動回路と協働し、前記書込対象となる画素に対応する前記データ線にデータを出力するデータ線駆動回路と、
前記画素の駆動モードとして、前記書込対象となる画素に対応する前記走査線が選択されてから当該走査線が次に選択されるまでの期間よりも短い第１の発光期間で、前記電気光学素子を駆動させる第１の駆動モード、または、前記書込対象となる画素に対応する前記走査線が選択されてから当該走査線が次に選択されるまでの期間において、前記第１の発光期間よりも長い第２の発光期間で、前記電気光学素子を駆動させる第２の駆動モードのいずれかを選択する駆動モード選択部とを有し、
前記データ線駆動回路は、前記第１の駆動モードの選択時には、値の異なる複数のレベル値で構成された第１のグループの中から、階調データに応じたレベル値を前記画素に供給するデータとして選択し、前記第２の駆動モードの選択時には、値の異なる複数のレベル値で構成された第２のグループの中から、階調データに応じたレベル値を前記画素に供給するデータとして選択し、かつ、同一の中間階調を規定する前記レベル値に関して、前記第１のグループの方が前記第２のグループよりも高いレベル値に設定されていることを特徴とする電気光学装置。
【請求項１１】
請求項１から１０のいずれかに記載された電気光学装置を実装した電子機器。
【請求項１２】
走査線とデータ線との交差に対応して設けられた複数の画素を有し、前記複数の画素のそれぞれが、データを保持する保持手段と、前記保持手段に保持されたデータに応じて、駆動電流を設定する駆動素子と、当該設定された駆動電流に応じた輝度で発光する電気光学素子とを有し、かつ、前記複数の画素のそれぞれの駆動モードを走査線単位で選択する電気光学装置の駆動方法において、
あるフレームの画像データを構成する所定のビット列において、所定のビットレベルの個数をカウント値として算出し、当該フレームに関する前記カウント値を従前のフレームに関する前記カウント値と比較することによって、動画の判別を画素行単位で行う第１のステップと、
前記判別結果より、前記動画表示を行う画素行に関しては、前記書込対象となる画素に対応する前記走査線が選択されてから当該走査線が次に選択されるまでの期間よりも短い第１の発光期間で、前記電気光学素子を駆動させる第２のステップと、
前記判別結果より、前記動画表示を行わない画素行に関しては、前記書込対象となる画素に対応する前記走査線が選択されてから当該走査線が次に選択されるまでの期間において、前記第１の発光期間よりも長い第２の発光期間で、前記電気光学素子を駆動させる第３のステップと
を有することを特徴とする電気光学装置の駆動方法。
【請求項１３】
前記第２のステップでは、前記電気光学素子のインパルス駆動が行われ、
前記第３のステップでは、前記電気光学素子のホールド駆動が行われることを特徴とする請求項１２に記載された電気光学装置の駆動方法。
【請求項１４】
前記第１のステップでは、前記カウント値を規定するビット列の一部、または、前記画像データを構成を構成するビット列の一部を用いて、動画の判別を行うことを特徴とする請求項１２または１３に記載された電気光学装置の駆動方法。
【請求項１５】
前記画素のそれぞれは、前記電気光学素子に供給される前記駆動電流の電流経路中に設けられ、パルス信号に応じて導通制御される制御素子を含み、
前記第２のステップは、前記パルス信号のレベルを交互に変化させるステップを含み、
前記第３のステップは、前記パルス信号を一定レベルに維持するステップを含むことを特徴とする請求項１２から１４のいずれかに記載された電気光学装置の駆動方法。
【請求項１６】
前記駆動電流は、前記画素に接続された第１の電源線から前記画素に接続された第２の電源線に向かって流れ、
前記第２のステップは、前記第１の電源線または前記第２の電源線の少なくとも一方の電圧を可変に設定することにより、前記電気光学素子に順バイアスと非順バイアスとを交互に繰り返し印加するステップを含み、
前記第３のステップは、前記第１の電源線および前記第２の電源線の電圧を一定に維持することにより、前記電気光学素子に順バイアスを印加するステップを含むことを特徴とする請求項１２から１４のいずれかに記載された電気光学装置の駆動方法。
【請求項１７】
前記第２のステップは、値の異なる複数のレベル値で構成された第１のグループの中から、階調データに応じたレベル値をデータとして選択し、当該データを前記画素に供給するステップを含み、
前記第３のステップは、値の異なる複数のレベル値で構成された第２のグループの中から、階調データに応じたレベル値をデータとして選択し、当該データを前記画素に供給するステップを含み、
同一の中間階調を規定する前記レベル値に関して、前記第１のグループの方が前記第２のグループよりも高いレベル値に設定されていることを特徴とする請求項１２から１６のいずれかに記載された電気光学装置の駆動方法。
【請求項１８】
走査線とデータ線との交差に対応して設けられた複数の画素を有し、前記複数の画素のそれぞれが、データを保持する保持手段と、前記保持手段に保持されたデータに応じて、駆動電流を設定する駆動素子と、当該設定された駆動電流に応じた輝度で発光する電気光学素子とを有し、かつ、前記複数の画素のそれぞれの駆動モードを走査線単位で選択する電気光学装置の駆動方法において、
前記書込対象となる画素に対応する前記走査線が選択されてから当該走査線が次に選択されるまでの期間よりも短い第１の発光期間で、前記電気光学素子を駆動させる第１のステップと、
前記書込対象となる画素に対応する前記走査線が選択されてから当該走査線が次に選択されるまでの期間において、前記第１の発光期間よりも長い第２の発光期間で、前記電気光学素子を駆動させる第２のステップとを有し、
前記第１のステップは、値の異なる複数のレベル値で構成された第１のグループの中から、階調データに応じたレベル値をデータとして選択し、当該データを前記画素に供給するステップを含み、
前記第２のステップは、値の異なる複数のレベル値で構成された第２のグループの中から、階調データに応じたレベル値をデータとして選択し、当該データを前記画素に供給するステップを含み、
同一の中間階調を規定する前記レベル値に関して、前記第１のグループの方が前記第２のグループよりも高いレベル値に設定されていることを特徴とする電気光学装置の駆動方法。
【発明の詳細な説明】
【０００１】
【発明の属する技術分野】
本発明は、電流によって発光輝度が制御される電気光学素子を用いた電気光学装置、電気光学装置の駆動方法および電子機器に係り、特に、表示対象に応じた駆動モードの選択技術に関する。
【０００２】
【従来の技術】
ホールド型ディスプレイの高画質化を図る上での課題として、動画表示特性の改善が挙げられる。ホールド型ディスプレイとは、１フレーム内で画像を表示し続けるディスプレイをいい、液晶ディスプレイや有機ＥＬディスプレイ等はこのタイプに属する。ホールド型ディスプレイは、１フレーム内で一時的に発光するインパルス型ディスプレイ（例えばＣＲＴ）と比較して、特に動画を表示する際に残像が目立ち、動画が不鮮明になるという問題がある。これを解消するために、従来より、ブリンキングと呼ばれる技術が提案されている。ブリンキングは、画像表示と黒表示とを交互に行うものであり、具体的には、画素の駆動系制御、バックライトの点滅制御、或いは、これらを併用した制御等によって実現される。
【０００３】
例えば、特許文献１には、有機ＥＬ（Ｅｌｅｃｔｒｏｎｉｃ  Ｌｕｍｉｎｅｓｃｅｎｃｅ）素子に駆動電流を供給する電流経路中に、この経路を遮断するトランジスタ（同文献の図５に示すＴＦＴ３）を設けた画素回路が開示されている。このトランジスタは、１フレームの前半期間でオン状態に制御されるとともに、その後半期間でオフ状態に制御される。したがって、トランジスタがオンして駆動電流が流れる前半期間では、その電流レベルに応じた輝度で有機ＥＬ素子が発光する（画像表示）。また、トランジスタがオフして駆動電流が遮断される後半期間では、有機ＥＬ素子が強制的に非発光状態に設定される（黒表示）。
【０００４】
また、特許文献２には、表示対象に応じて、バックライトの輝度を制御する液晶表示装置が開示されている。具体的には、前後のフレーム間における画像データの変化に基づいて、表示対象が動画像または静止画のどちらであるかが判別される。動画像と判別された場合には、バックライトを周期的に点滅させることにより、画像表示と黒表示とが交互に行われる。また、静止画と判別された場合には、バックライトを常時点灯させることにより、黒表示を行うことなく、画像表示のみが継続される。
【０００５】
【特許文献１】
特開２００１−６００７６号公報
【特許文献２】
特開２００２−１２３２２３号公報。
【０００６】
【発明が解決しようとする課題】
本発明の目的は、駆動電流に応じた輝度で発光する電気光学素子を用いた電気光学装置において、表示対象に応じて、電気光学素子の駆動モードを切り替えることにより、全体的な表示品質の向上を図ることである。
【０００７】
また、本発明の別の目的は、かかる駆動モードの切り替え機能を電気光学装置自身に付加することである。
【０００８】
【課題を解決するための手段】
かかる課題を解決するために、第１の発明は、複数の走査線と、複数のデータ線と、走査線とデータ線との交差に対応して設けられた複数の画素と、走査線に走査信号を出力することにより、データの書込対象となる画素に対応する走査線を選択する走査線駆動回路と、走査線駆動回路と協働し、書込対象となる画素に対応するデータ線にデータを出力するデータ線駆動回路と、あるフレームの画像データを構成する所定のビット列において、所定のビットレベルの個数をカウント値として算出し、このフレームに関するカウント値を従前のフレームに関するカウント値と比較することによって、動画の判別を走査線単位で行うカウント部と、カウント部における判別結果に基づいて、画素の駆動モードを走査線単位で選択する駆動モード選択部とを有する電気光学装置を提供する。ここで、それぞれの画素は、データを保持する保持手段と、保持手段に保持されたデータに応じて、駆動電流を設定する駆動素子と、設定された駆動電流に応じた輝度で発光する電気光学素子とを有する。駆動モード選択部は、動画表示を行う画素に関しては、書込対象となる画素に対応する走査線が選択されてから、この走査線が次に選択されるまでの期間よりも短い第１の発光期間で、電気光学素子を駆動させる第１の駆動モードを設定する。また、駆動モード選択部は、動画表示を行わない画素に関しては、書込対象となる画素に対応する走査線が選択されてから、この走査線が次に選択されるまでの期間において、第１の発光期間よりも長い第２の発光期間で、電気光学素子を駆動させる第２の駆動モードを設定する。
【０００９】
ここで、第１の発明において、第１の駆動モードはインパルス駆動であり、第２の駆動モードはホールド駆動であることが好ましい。カウント部は、カウント値を規定するビット列の一部、または、画像データを構成するビット列の一部を用いて、動画の判別を行うことが好ましい。また、カウント部は、あるフレームに関するカウント値を従前の複数のフレームに関するカウント値と比較することによって、動画の判別を行ってもよい。
【００１０】
また、第１の発明において、それぞれの画素は、電気光学素子に供給される駆動電流の電流経路中に設けられ、パルス信号に応じて導通制御される制御素子を含んでいてもよい。この場合、駆動モード選択部によって選択された駆動モードに応じて、パルス信号の波形を変化させる駆動モード切替回路をさらに設けることが好ましい。そして、駆動モード切替回路は、第１の駆動モードの選択時には、パルス信号のレベルを交互に変化させ、第２の駆動モードの選択時には、パルス信号を一定レベルに維持することが望ましい。
【００１１】
また、第１の発明において、駆動電流は、画素に接続された第１の電源線から画素に接続された第２の電源線に向かって流れる構成では、駆動モード選択部によって選択された駆動モードに応じて、第１の電源線または第２の電源線の少なくとも一方の電圧の可変に設定する電源線制御回路をさらに設けることが好ましい。そして、電源線制御回路は、第１の駆動モードの選択時には、第１の電源線または第２の電源線の少なくとも一方の電圧を可変に設定することにより、電気光学素子に順バイアスと非順バイアスとを交互に繰り返し印加し、第２の駆動モードの選択時には、第１の電源線および第２の電源線の電圧を一定にすることにより、電気光学素子に順バイアスを印加することが好ましい。
【００１２】
また、第１の発明において、データ線駆動回路は、第１の駆動モードの選択時には、値の異なる複数のレベル値で構成された第１のグループの中から、階調データに応じたレベル値を画素に供給するデータとして選択し、第２の駆動モードの選択時には、値の異なる複数のレベル値で構成された第２のグループの中から、階調データに応じたレベル値を画素に供給するデータとして選択してもよい。この場合、同一の中間階調を規定するレベル値に関して、第１のグループの方が第２のグループよりも高いレベル値に設定されていることが好ましい。
【００１３】
第２の発明は、複数の走査線と、複数のデータ線と、走査線とデータ線との交差に対応して設けられた複数の画素と、走査線に走査信号を出力することにより、データの書込対象となる画素に対応する走査線を選択する走査線駆動回路と、走査線駆動回路と協働し、書込対象となる画素に対応するデータ線にデータを出力するデータ線駆動回路と、画素の駆動モードとして、第１の駆動モードまたは第２の駆動モードのいずれかを選択する駆動モード選択部とを有する電気光学装置を提供する。ここで、それぞれの画素は、データを保持する保持手段と、保持手段に保持されたデータに応じて、駆動電流を設定する駆動素子と、当該設定された駆動電流に応じた輝度で発光する電気光学素子とを有する。第１の駆動モードでは、書込対象となる画素に対応する走査線が選択されてから、この走査線が次に選択されるまでの期間よりも短い第１の発光期間で、電気光学素子の駆動が行われる。第２の駆動モードでは、書込対象となる画素に対応する走査線が選択されてから、この走査線が次に選択されるまでの期間において、第１の発光期間よりも長い第２の発光期間で、電気光学素子の駆動が行われる。データ線駆動回路は、第１の駆動モードの選択時には、値の異なる複数のレベル値で構成された第１のグループの中から、階調データに応じたレベル値を画素に供給するデータとして選択し、第２の駆動モードの選択時には、値の異なる複数のレベル値で構成された第２のグループの中から、階調データに応じたレベル値を画素に供給するデータとして選択する。同一の中間階調を規定するレベル値に関して、第１のグループの方が第２のグループよりも高いレベル値に設定されている。
【００１４】
第３の発明は、上述した第１または第２の発明に係る電気光学装置を実装した電子機器を提供する。
【００１５】
第４の発明は、走査線とデータ線との交差に対応して設けられた複数の画素を有し、複数の画素のそれぞれが、データを保持する保持手段と、保持手段に保持されたデータに応じて、駆動電流を設定する駆動素子と、設定された駆動電流に応じた輝度で発光する電気光学素子とを有し、かつ、複数の画素のそれぞれの駆動モードを走査線単位で選択する電気光学装置の駆動方法を提供する。この駆動方法は、あるフレームの画像データを構成する所定のビット列において、所定のビットレベルの個数をカウント値として算出し、このフレームに関するカウント値を従前のフレームに関するカウント値と比較することによって、動画の判別を画素行単位で行う第１のステップと、判別結果より、動画表示を行う画素行に関しては、書込対象となる画素に対応する走査線が選択されてから、この走査線が次に選択されるまでの期間よりも短い第１の発光期間で、電気光学素子を駆動させる第２のステップと、判別結果より、動画表示を行わない画素行に関しては、書込対象となる画素に対応する走査線が選択されてから、この走査線が次に選択されるまでの期間において、第１の発光期間よりも長い第２の発光期間で、電気光学素子を駆動させる第３のステップとを有する。
【００１６】
ここで、第４の発明において、第２のステップでは、電気光学素子のインパルス駆動が行われ、第３のステップでは、電気光学素子のホールド駆動が行われることが好ましい。
【００１７】
また、第４の発明において、第１のステップでは、カウント値を規定するビット列の一部、または、画像データを構成を構成するビット列の一部を用いて、動画の判別を行うことが好ましい。
【００１８】
また、第４の発明において、画素のそれぞれは、電気光学素子に供給される駆動電流の電流経路中に設けられ、パルス信号に応じて導通制御される制御素子を含んでいてもよい。この場合、第２のステップは、パルス信号のレベルを交互に変化させるステップを含み、第３のステップは、パルス信号を一定レベルに維持するステップを含むことが好ましい。
【００１９】
また、第４の発明において、駆動電流は、画素に接続された第１の電源線から画素に接続された第２の電源線に向かって流れる構成では、第２のステップは、第１の電源線または第２の電源線の少なくとも一方の電圧を可変に設定することにより、電気光学素子に順バイアスと非順バイアスとを交互に繰り返し印加するステップを含み、第３のステップは、第１の電源線および第２の電源線の電圧を一定に維持することにより、電気光学素子に順バイアスを印加するステップを含むことが好ましい。
【００２０】
また、第４の発明において、第２のステップは、値の異なる複数のレベル値で構成された第１のグループの中から、階調データに応じたレベル値をデータとして選択し、このデータを画素に供給するステップを含み、第３のステップは、値の異なる複数のレベル値で構成された第２のグループの中から、階調データに応じたレベル値をデータとして選択し、このデータを画素に供給するステップを含んでいてもよい。この場合、同一の中間階調を規定するレベル値に関して、第１のグループの方が第２のグループよりも高いレベル値に設定されていることが好ましい。
【００２１】
第５の発明は、走査線とデータ線との交差に対応して設けられた複数の画素を有し、複数の画素のそれぞれが、データを保持する保持手段と、保持手段に保持されたデータに応じて、駆動電流を設定する駆動素子と、設定された駆動電流に応じた輝度で発光する電気光学素子とを有し、かつ、複数の画素のそれぞれの駆動モードを走査線単位で選択する電気光学装置の駆動方法を提供する。この駆動方法は、書込対象となる画素に対応する走査線が選択されてから、この走査線が次に選択されるまでの期間よりも短い第１の発光期間で、電気光学素子を駆動させる第１のステップと、書込対象となる画素に対応する走査線が選択されてから、この走査線が次に選択されるまでの期間において、第１の発光期間よりも長い第２の発光期間で、電気光学素子を駆動させる第２のステップとを有する。ここで、第１のステップは、値の異なる複数のレベル値で構成された第１のグループの中から、階調データに応じたレベル値をデータとして選択し、このデータを画素に供給するステップを含み、第２のステップは、値の異なる複数のレベル値で構成された第２のグループの中から、階調データに応じたレベル値をデータとして選択し、このデータを画素に供給するステップを含む。そして、同一の中間階調を規定するレベル値に関して、第１のグループの方が第２のグループよりも高いレベル値に設定されている。
【００２２】
【発明の実施の形態】
（第１の実施形態）
図１は、本実施形態に係る電気光学装置のブロック構成図である。表示部１には、ｍドット×ｎライン分の画素２がマトリクス状（二次元平面的）に並んでいるとともに、水平方向に延在している水平ライン群Ｙ１〜Ｙｎと、垂直方向に延在しているデータ線群Ｘ１〜Ｘｍとが配置されている。１つの水平ラインＹ（ＹはＹ１〜Ｙｎの任意のものを指す。以下の符号についても同様）は、１本の走査線と１本の信号線で構成されており、それぞれに対して、走査信号ＳＥＬ、パルス信号ＰＬＳが供給される。それぞれの画素２は、水平ライン群Ｙ１〜Ｙｎとデータ線群Ｘ１〜Ｘｍとの各交差に対応して配置されている。パルス信号ＰＬＳは、ある画素２が選択されてからこの画素２が次に選択されるまでの期間（本実施形態では１垂直走査期間）において、その画素２に含まれる電気光学素子を、ホールド駆動またはインパルス駆動のいずれかの駆動モードで駆動させる信号である。なお、本実施形態では、１つの画素２を画像の最小表示単位としているが、１つの画素２を複数のサブ画素で構成してもよい。また、図１では、それぞれの画素２に対して所定の固定電圧Ｖｄｄ，Ｖｓｓを供給する電源線等が省略されている。
【００２３】
図２は、画素２の一例を示す回路図である。１つの画素２は、有機ＥＬ素子ＯＬＥＤ、４つのトランジスタＴ１〜Ｔ４、および、データを保持するキャパシタＣによって構成されている。なお、本実施形態に係る画素回路では、ｎチャネル型のトランジスタＴ１，Ｔ２，Ｔ４とｐチャネル型のトランジスタＴ３とが用いられているが、これは一例であって、本発明はこれに限定されるものではない。また、データを保持する回路要素としては、キャパシタＣ以外にも、複数のビットデータを記憶可能なメモリ（ＳＲＡＭ等）を用いることもできる。
【００２４】
第１のスイッチングトランジスタＴ１のゲートは、走査信号ＳＥＬが供給された走査線に接続され、そのソースは、データ電流Ｉｄａｔａが供給されたデータ線Ｘに接続されている。第１のスイッチングトランジスタＴ１のドレインは、第２のスイッチングトランジスタＴ２のソースと、駆動素子の一形態である駆動トランジスタＴ３のドレインと、制御素子の一形態である制御トランジスタＴ４のドレインとに共通接続されている。第２のスイッチングトランジスタＴ２のゲートは、第１のスイッチングトランジスタＴ１と同様に、走査信号ＳＥＬが供給された走査線に接続されている。第２のスイッチングトランジスタＴ２のドレインは、キャパシタＣの一方の電極と、駆動トランジスタＴ３のゲートとに共通接続されている。キャパシタＣの他方の電極と駆動トランジスタＴ３のソースとには、電源電圧Ｖｄｄが印加されている。パルス信号ＰＬＳがゲートに供給された制御トランジスタＴ４は、駆動トランジスタＴ３のドレインと有機ＥＬ素子ＯＬＥＤのアノード（陽極）との間に設けられている。この有機ＥＬ素子ＯＬＥＤのカソード（陰極）には、電源電圧Ｖｄｄよりも低い電圧Ｖｓｓが印加されている。
【００２５】
図３は、図２に示した画素２の駆動タイミングチャートである。画素２の選択が開始されるタイミングをｔａとし、その画素２の選択が次に開始されるタイミングをｔｃとする。この期間ｔａ〜ｔｃは、前半のプログラミング期間ｔａ〜ｔｂと、後半の駆動期間ｔｂ〜ｔｃとに分けられる。
【００２６】
プログラミング期間ｔａ〜ｔｂでは、キャパシタＣに対するデータの書き込みが行われる。まず、タイミングｔａにおいて、走査信号ＳＥＬがＨレベルに立ち上がり、スイッチングトランジスタＴ１，Ｔ２が共にオンする。これにより、データ線Ｘと駆動トランジスタＴ３のドレインとが電気的に接続されるとともに、駆動トランジスタＴ３は、自己のゲートと自己のドレインとが電気的に接続されたダイオード接続となる。駆動トランジスタＴ３は、データ線Ｘより供給されたデータ電流Ｉｄａｔａを自己のチャネルに流し、このデータ電流Ｉｄａｔａに応じたゲート電圧Ｖｇを自己のゲートに発生させる。駆動トランジスタＴ３のゲートに接続されたキャパシタＣには、発生したゲート電圧Ｖｇに応じた電荷が蓄積され、データが書き込まれる。このように、プログラミング期間ｔａ〜ｔｂにおいて、駆動トランジスタＴ３は、キャパシタＣにデータを書き込むプログラミングトランジスタとして機能する。
【００２７】
プログラミング期間ｔａ〜ｔｂでは、有機ＥＬ素子ＯＬＥＤの駆動モードに関わりなく、パルス信号ＰＬＳがＬレベルに維持されているため、制御トランジスタＴ４はオフのままである。したがって、有機ＥＬ素子ＯＬＥＤに対する駆動電流Ｉｏｌｅｄの電流経路が遮断され続けるため、有機ＥＬ素子ＯＬＥＤは発光しない。
【００２８】
続く駆動期間ｔｂ〜ｔｃでは、駆動電流Ｉｏｌｅｄが有機ＥＬ素子ＯＬＥＤを流れ得る状態になり、駆動モードに応じた駆動が行われる。まず、タイミングｔｂにおいて、走査信号ＳＥＬがＬレベルに立ち下がり、スイッチングトランジスタＴ１，Ｔ２が共にオフする。これにより、データ電流Ｉｄａｔａが供給されたデータ線Ｘと駆動トランジスタＴ３のドレインとが電気的に分離され、駆動トランジスタＴ３のゲートとドレインとの間も電気的に分離される。駆動トランジスタＴ３のゲートには、キャパシタＣの蓄積電荷に応じたゲート電圧Ｖｇが印加され続ける。
【００２９】
タイミングｔｂにおける走査信号ＳＥＬの立ち下がりと同期して、それ以前はＬレベルだったパルス信号ＰＬＳの波形は、駆動モードに応じて、パルス状またはホールド状のいずれかに変化する。駆動モードには、インパルス駆動とホールド駆動の２種類があり、後述する駆動モード信号ＤＲＴＭによって、いずれかが選択される。
【００３０】
駆動モードがインパルス駆動の場合、パルス信号ＰＬＳの波形は、ＨレベルとＬレベルとを交互に繰り返すパルス状になる。このパルス波形は、画素２が次に選択されるタイミングｔｃに至るまで継続される。これにより、パルス信号ＰＬＳによって導通制御される制御トランジスタＴ４は、オンとオフとを交互に繰り返す。制御トランジスタＴ４のオン期間では、電源電圧Ｖｄｄから電圧Ｖｓｓに向かって、駆動トランジスタＴ３と制御トランジスタＴ４と有機ＥＬ素子ＯＬＥＤとを介した駆動電流Ｉｏｌｅｄの電流経路が形成される。有機ＥＬ素子ＯＬＥＤを流れる駆動電流Ｉｏｌｅｄは、駆動トランジスタＴ３のチャネル電流に相当し、その電流レベルは、キャパシタＣの蓄積電荷に起因したゲート電圧Ｖｇによって制御される。したがって、オン期間では、駆動電流Ｉｏｌｅｄに応じた輝度で有機ＥＬ素子ＯＬＥＤが発光する（画像表示）。一方、制御トランジスタＴ４のオフ期間では、駆動電流Ｉｏｌｅｄの電流経路が制御トランジスタＴ４によって強制的に遮断される。したがって、オフ期間では、有機ＥＬ素子ＯＬＥＤの発光が一時的に停止する（黒表示）。このように、インパルス駆動時には、駆動電流Ｉｏｌｅｄの電流経路の断続が繰り返されるため、有機ＥＬ素子ＯＬＥＤの発光と非発光とが繰り返される。
【００３１】
一方、駆動モードがホールド駆動の場合、パルス信号ＰＬＳの波形は、常時Ｈレベルのホールド状になる。これにより、駆動期間ｔｂ〜ｔｃにおいて、制御トランジスタＴ４は常時オンし、駆動電流Ｉｏｌｅｄの電流経路が形成され続ける。したがって、有機ＥＬ素子ＯＬＥＤは駆動電流Ｉｏｌｅｄに応じた輝度で発光し続ける。
【００３２】
制御回路５は、図示しない上位装置より入力される垂直同期信号Ｖｓ、水平同期信号Ｈｓ、ドットクロック信号ＤＣＬＫおよび画像データＤ等に基づいて、走査線駆動回路３とデータ線駆動回路４とを同期制御する。この同期制御の下、走査線駆動回路３およびデータ線駆動回路４は、互いに協働して、表示部１の表示制御を行う。それとともに、制御回路５は、データカウント部６および駆動モード選択部７の制御も行う。
【００３３】
また、制御回路５は、駆動モード切替回路８に対して、２種類の駆動信号ＩＮＰ１，ＩＮＰ２を出力する。ここで、第１の駆動信号ＩＮＰ１は、高レベル（以下「Ｈレベル」という）と低レベル（以下「Ｌレベル」という）とを交互に繰り返す常時パルス状の信号である。また、第２の駆動信号ＩＮＰ２は、第１の駆動信号ＩＮＰ１とは異なるパルス信号であり、Ｈレベルのデューティ比（単位時間に占めるＨレベル時間の割合）が第１の駆動信号ＩＮＰ１のそれよりも大きい。本実施形態では、第２の駆動信号ＩＮＰ２として、デューティ比が１００％であるホールド信号（常時Ｈレベルの信号）を用いている。
【００３４】
走査線駆動回路３は、シフトレジスタ、出力回路等を主体に構成されており、走査線に走査信号ＳＥＬを出力することによって、走査線を順番に選択する線順次走査を行う。これにより、１垂直走査期間において、所定の走査方向に（一般的には最上から最下に向かって）、１水平ライン分の画素群に相当する画素行が順番に選択されていく。なお、走査線駆動回路３は、走査信号ＳＥＬの他に、画素行単位で制御信号ＬＭも出力する。制御信号ＬＭは、走査信号ＳＥＬと同期した信号であり、走査信号ＳＥＬとは制御信号ＬＭとは反対の論理レベルをとる。ただし、走査信号ＳＥＬの変化タイミングに対して、制御信号ＬＭの変化タイミングを若干ずらすこともある。
【００３５】
一方、データ線駆動回路４は、シフトレジスタ、ラインラッチ回路、出力回路等を主体に構成されている。本実施形態では、画素２へのデータ書き込みを電流プログラム方式により行う関係上、データ線駆動回路４は、画素２の表示階調に相当するデータ（データ電圧Ｖｄａｔａ）をデータ電流Ｉｄａｔａへと変換する可変電流源を含む。データ線駆動回路４は、１水平走査期間において、今回データを書き込む画素行に対するデータ電流Ｉｄａｔａの一斉出力と、次の水平走査期間で書き込みを行う画素行に関するデータの点順次的なラッチとを同時に行う。ある水平走査期間において、データ線Ｘの本数に相当するｍ個のデータが順次ラッチされる。そして、次の水平走査期間において、ラッチされたｍ個のデータは、データ電流Ｉｄａｔａに変換された上で、それぞれのデータ線Ｘ１〜Ｘｍに対して一斉に出力される。なお、データ線駆動回路４に対してフレームメモリ等（図示せず）から直接データを線順次的に入力する構成でも本発明を適用できるが、その場合においても本発明の主眼とする部分の動作は同様であるので説明を省略する。この場合、データ線駆動回路４中にシフトレジスタを設ける必要がなくなる。
【００３６】
データ線駆動回路４は、階調値を規定するデータ（データ電圧Ｖｄａｔａ）として、値が異なる複数のレベル値（電圧値）で構成されたグループの中から階調データＤに応じたものを選択するが、本実施形態では、このグループが２種類用意されている。第１のグループはインパルス駆動時のデータ設定用、第２のグループはホールド駆動時のデータ設定用にそれぞれ用いられる。それぞれのグループは、階調数に相当する個数の電圧値Ｖで構成されており、それぞれが階調値に応じた電圧レベルに設定されている。中間階調を規定する電圧値Ｖに関しては、インパルス駆動用の第１のグループの方が、ホールド駆動用の第２のグループよりもレベル値が高く設定されている。その理由は、同一階調の表示を行う場合に、ホールド駆動時とインパルス駆動時とで有機ＥＬ素子ＯＬＥＤの発光輝度を一致させるためである。すなわち、駆動モードに拘わらず、同一階調のレベル値を同じに設定した場合、インパルス駆動の方がホールド駆動よりも有機ＥＬ素子ＯＬＥＤの実効的な発光時間が短いため、輝度が低下してしまう。そこで、発光時間が短い分だけ、インパルス駆動時の中間的なレベル値をホールド駆動時のそれよりも高く設定する必要がある。なお、データの設定にあたって、第１および第２のグループのどちらが適用されるかは、駆動モード信号ＤＲＴＭに基づいて決定される。
【００３７】
データカウント部６は、制御回路５の制御下において、あるフレームの画像データＤの一部を構成し、カウント単位となるビット列毎に、ビットレベル”１”（”０”でも可）の個数をカウントし、このカウント値を従前フレームのそれと比較する。本実施形態では、走査線毎に駆動モードを設定する関係上、カウント単位も走査線単位、すなわち、画素行単位（ｍドット）であり、画素行毎にカウント値が算出・比較される。
【００３８】
図４は、データカウント部６のブロック構成図である。このデータカウント部６は、カウント回路６ａ、アドレス回路６ｂ、メモリ６ｃおよびカウント数比較回路６ｇによって構成されている。メモリ６ｃは、それぞれが１フレーム分のカウント値ＣＮを格納するアドレス領域に相当する３つのカウント数格納部６ｄ〜６ｆを有する。カウント回路６ａは、同期信号に応じて、上位装置より入力される１フレームの画像データＤ（デジタルデータ）より、カウント単位となる１画素行分のビット列を抽出する。そして、カウント回路６ａは、抽出されたビット列のそれぞれに関して、これに含まれる”１”の個数をカウントし、カウント値ＣＮを算出する。したがって、１フレーム全体ではｎ個のカウント値ＣＮ１，ＣＮ２，・・・，ＣＮｎが算出される。以下、１フレームにおけるカウント値の集合｛ＣＮ１，ＣＮ２，・・・，ＣＮｎ｝を単にカウント値ＣＮと総称する。
【００３９】
カウント値ＣＮとしては、”１”の合計数をそのまま用いてもよいが（例えば”０１０１１０１０”）、本実施形態では、カウント値ＣＮの一部のビット列（例えば下４桁”１０１０”）のみを用いている。この場合には、上位桁のオーバーフローを許容したカウントが行われることになる。後述するように、カウント値ＣＮは動画判別に用いられるため、その値が”１”の個数を厳密に表している必要は必ずしもなく、これが反映された値であれば足りる。これにより、動画判別の精度をあまり低下させることなく、カウント回路６ａの簡略化と、メモリ６ｃの容量低減と、カウント数比較回路６ｇの簡略化とを図れる。
【００４０】
また、同様の観点より、画像データの上位側ビットを無視し、その最下位ビットのみ、若しくは、下位数ビットのみをカウント対象としてもよい。階調変化の小さい下位ビットをカウント対象とした場合、輝度の微少な変化がカウント値ＣＮに反映されるため、結果的に、輝度変化の比較的少ない表示対象を動画として判別できる。また、階調変化の大きい上位ビットをカウント対象としてもよい。この場合には、輝度の大きな変化のみがカウント値ＣＮに反映されるため、結果的に、輝度変化がダイナミックな表示対象を動画として判別できる。
【００４１】
アドレス回路６ｂは、同期信号に応じて、カウント回路６ａで算出された１フレーム分のカウント値ＣＮを、後段のカウント数格納部６ｄ〜６ｆのいずれかに割り振って格納する。例えば、（ｋ−２）番目のフレームに関するカウント値ＣＮ（ｋ−２）がカウント数格納部６ｆ、（ｋ−１）番目のフレームに関するカウント値ＣＮ（ｋ−１）がカウント数格納部６ｅ、ｋ番目のフレームに関するカウント値ＣＮ（ｋ）がカウント数格納部６ｄにそれぞれ格納されるといった如くである。
【００４２】
カウント数比較回路６ｇは、比較命令に応じて、カウント数格納部６ｄ〜６ｆよりカウント値ＣＮ（ｋ）〜ＣＮ（ｋ−２）を読み出して、今回のフレームに関するカウント値ＣＮ（ｋ）を、従前の２フレーム分のカウント値ＣＮ（ｋ−１），ＣＮ（ｋ−２）と比較する。この比較は、対応する画素行毎に行われ、例えば、最上の画素行に関するカウント値ＣＮ１（ｋ）は、従前の２フレームにおける最上の画素行に関するカウント値ＣＮ１（ｋ−１），ＣＮ１（ｋ−２）と比較される。比較対象を直前のフレームのみならず、更にその前のフレームも含める理由は、カウント値ＣＮ（ｋ）〜ＣＮ（ｋ−２）が偶然一致してしまうことを回避するためである。ＣＮ（ｋ）がＣＮ（ｋ−１），ＣＮ（ｋ−２）の双方と一致する場合（変化量が所定のしきい値以下の場合を含む）、画像データの時系列的な変化を伴わない静止画（テキストを含む）と判別される。この場合、判別対象となった画素行に関しては、動画表示が行われないものと判断される。これに対して、これらが一致しない場合、画像データの時系列的な変化を伴う動画と判別される。この場合、判別対象となった画素行に関しては、動画表示が行われるものと判断される。このようにして、カウント数比較回路６ｇは、動画／静止画の判別を１フレームを構成するすべての画素行について行い、それぞれの画素行に関する判別結果を駆動モード選択部７に対して出力する。
【００４３】
駆動モード選択部７は、データカウント部６からの判別結果に基づいて、画素行単位（走査線単位）で、駆動モードを指定する駆動モード信号ＤＲＴＭを生成する。ここで、「走査線単位」とは、本実施形態のように１本の走査線であってもよいが、互いに隣接した複数の走査線Ｙを１グループ化したものも含む（「画素行単位」も同じ意味）。
【００４４】
図５は、駆動モード信号ＤＲＴＭの説明図である。この駆動モード信号ＤＲＴＭは、走査線駆動回路３の線順次走査と同期しており、Ｌレベルがホールド駆動を指示し、Ｈレベルがインパルス駆動を指示する。一例として、表示領域Ｂで動画表示を行い、その上下の表示領域Ａ，Ｃで静止画表示を行うケースについて考える。表示領域Ａを構成する走査線群が順次選択される期間ｔ０〜ｔ１では、駆動モード信号ＤＲＴＭがＬレベルになっている。したがって、表示領域Ａでは、静止画の表示に適したホールド駆動が行われる。つぎに、表示領域Ｂを構成する走査線群が順次選択される期間ｔ１〜ｔ２では、駆動モード信号ＤＲＴＭがＨレベルになっている。したがって、表示領域Ｂでは、動画表示に適したインパルス駆動が行われる。そして、表示領域Ｃを構成する走査線群が順次選択される期間ｔ２〜ｔ３では、駆動モード信号ＤＲＴＭがＬレベルになっているため、表示領域Ｃでは、静止画の表示に適したホールド駆動が行われる。駆動モード選択部７によって生成された駆動モード信号ＤＲＴＭは、駆動モード切替回路８とデータ線駆動回路４とに出力される。
【００４５】
駆動モード切替回路８は、走査線単位で設けられており、駆動モード信号ＤＲＴＭにより指定された駆動モードに応じて、パルス信号ＰＬＳの波形を設定する。それぞれの切替回路８は、制御回路５からの信号ＩＮＰ１，ＩＮＰ２、走査線駆動回路３からの信号ＳＥＬ，ＬＭ、および、駆動モード選択部７からの駆動モード信号ＤＲＴＭに基づいて、パルス信号ＰＬＳを走査線単位で発生し、これを対応する走査線に対して出力する。
【００４６】
図６は、駆動モード切替回路８の回路図である。この駆動モード切替回路８は、Ｄフリップフロップ８ａ（Ｄ−ＦＦ）と、一対のトランスミッションゲート８ｂ，６ｃ、２つのインバータ８ｄ，８ｅおよびＮＡＮＤゲート８ｆで構成されている。Ｄフリップフロップ８ａのＤ入力は、駆動モード信号ＤＲＴＭが供給された信号線に接続されており、そのＣ入力は、走査信号ＳＥＬ（ｎ）が供給された走査線に接続されている。ここで、走査信号ＳＥＬ（ｎ）は、ｎ番目の走査線に対して出力される走査信号ＳＥＬである（（ｎ）の意味は後述する各信号についても同様）。Ｄフリップフロップ８ａは、Ｃ入力の走査信号ＳＥＬ（ｎ）の立ち上がりタイミングにおいて、Ｄ入力の駆動モード信号ＤＲＴＭのレベル状態を記憶し、記憶したレベル状態を信号ＤＲＭＤ（ｎ）としてＱ出力より出力する。
【００４７】
また、Ｄフリップフロップ８ａのＱ出力（信号ＤＲＭＤ（ｎ））は、一対のトランスミッションゲート８ｂ，８ｃを主体に構成された選択部８ｇに出力される。具体的には、このＱ出力は、トランスミッションゲート８ｂの一部を構成するｎチャネル型トランジスタのゲートと、トランスミッションゲート８ｃの一部を構成するｐチャネル型トランジスタのゲートとに供給される。また、Ｑ出力は、インバータ８ｄによるレベル反転後、トランスミッションゲート８ｂのｐチャネル型トランジスタのゲートと、トランスミッションゲート８ｃのｎチャネル型トランジスタのゲートとに供給される。また、一方のトランスミッションゲート８ｂの入力端には、インパルス状の第１の駆動信号ＩＮＰ１が供給され、他方のトランスミッションゲート８ｃの入力端には、ホールド状の第２の駆動信号ＩＮＰ２が供給される。一対のトランスミッションゲート８ｂ，８ｃは、ｐチャネル型トランジスタにＬレベルのゲート信号が供給され、かつ、ＮチャネルトランジスタにＨレベルのゲート信号が供給された場合にオンする。したがって、フリップフロップ８ａのＱ出力レベルに応じて、どちらか一方のトランスミッションゲート８ｂ，８ｃが択一的にオンになり、駆動信号ＩＮＰ１，ＩＮＰ２のいずれかがトランスミッションゲート８ｂ，８ｃより出力される。
【００４８】
ＮＡＮＤゲート８ｆは、選択部８ｇからの出力信号と、走査線駆動回路３からの制御信号ＬＭとを入力として、両者の排他的論理和を演算する。そして、その演算結果はインバータ８ｅによってレベル反転された後、パルス信号ＰＬＳ（ｎ）として、対応する画素行に出力される。
【００４９】
つぎに、図７に示すタイミングチャートを参照しながら、線順次走査による表示部１の表示制御について説明する。このタイミングチャートは、図５に示したように、表示領域Ａ，Ｃでホールド駆動を行い、表示領域Ｂでインパルス駆動を行うケースに関するものである。走査線駆動回路３は、１垂直走査期間ｔ０〜ｔ３において、最上の走査線から最下の走査線に向かって、走査信号ＳＥＬのレベルを順番にＨレベルにすることにより、走査線を１本ずつ選択していく。これにより、選択された走査線に対応する画素行が順次選択されていく。
【００５０】
まず、ホールド駆動が行われる表示領域Ａにおける任意の走査線ａについて説明する。表示領域Ａを線順次走査する期間ｔ０〜ｔ１において、駆動モード信号ＤＲＴＭは、ホールド駆動を指示するＬレベルに維持されている。走査線駆動回路３は、ある走査線ａの選択開始タイミングにおいて、この走査線ａに供給する走査信号ＳＥＬ（ａ）をＬレベルからＨレベルに立ち上げ、このＨレベルを１水平走査期間分だけ維持する。それとともに、走査線駆動回路３は、走査信号ＳＥＬ（ａ）の立ち上がりタイミングと同期して、制御信号ＬＭ（ａ）をＨレベルからＬレベルに立ち下げ、このＬレベルを１水平走査期間分だけ維持する。
【００５１】
図６に示したＤフリップフロップ８ａは、走査信号ＳＥＬ（ａ）の変化タイミング（本実施形態では、立ち上がりタイミング）において、駆動モード信号ＤＲＴＭのレベル、すなわち、Ｌレベルを保持する。これにより、Ｄフリップフロップ８ａは、出力信号ＤＲＭＤ（ａ）としてＬレベルを出力する。この出力信号ＤＲＭＤ（ａ）がＬレベルの場合、後段の選択部８ｇは、ホールド状の第２の駆動信号ＩＮＰ２を選択し、この信号ＩＮＰ２を後段のＮＡＮＤゲート８ｆに出力する。ＮＡＮＤゲート８ｆは、走査信号ＳＥＬ（ａ）と反対の論理レベルを取る制御信号ＬＭ（ａ）がＬレベルの間、選択部８ｇからの出力に依存することなく、Ｈレベルを出力する。したがって、この期間において、インバータ８ｅからの出力であるパルス信号ＰＬＳ（ａ）はＬレベルとなる。パルス信号ＰＬＳがＬレベルになる期間は、図３に示したプログラミング期間ｔａ〜ｔｂに相当し、画素２へのデータ書き込みが行われる。なお、データ線駆動回路４は、駆動モード信号ＤＲＴＭがＬレベルの場合には、上述したホールド駆動用の第２のグループを用いて、データ電圧Ｖｄａｔａを設定し、これをデータ電流Ｉｄａｔａに変換した上で、データ線Ｘ１〜Ｘｍに出力する。その後、制御信号ＬＭ（ａ）がＨレベルになると、ＮＡＮＤゲート８ｆは、選択部８ｇから出力された第２の駆動信号ＩＮＰ２とは反対の論理レベル（Ｌレベル）を出力する。したがって、制御信号ＬＭ（ａ）がＨレベルの期間において、パルス信号ＰＬＳ（ａ）として、第２の駆動信号ＩＮＰ２と同様の波形、すなわち、常時Ｈレベルのホールド信号が出力される。パルス信号ＰＬＳ（ａ）がＨレベルになる期間（図３に示した駆動期間ｔｂ〜ｔｃに相当）では、制御トランジスタＴ４が常時オンするため、有機ＥＬ素子ＯＬＥＤのホールド駆動が行われる。
【００５２】
つぎに、インパルス駆動が行われる表示領域Ｂにおける任意の走査線ｂについて説明する。表示領域Ｂを線順次走査する期間ｔ１〜ｔ２において、駆動モード信号ＤＲＴＭは、インパルス駆動を指示するＨレベルに維持されている。走査線駆動回路３は、走査線ｂの選択開始タイミングにおいて、この走査線ｂに供給する走査信号ＳＥＬ（ｂ）をＬレベルからＨレベルに立ち上げるとともに、これと同期して、制御信号ＬＭ（ｂ）をＨレベルからＬレベルに立ち下げる。走査線ｂに対応する駆動モード切替回路８において、Ｄフリップフロップ８ａは、走査信号ＳＥＬ（ｂ）の立ち上がり時における駆動モード信号ＤＲＴＭのレベル、すなわち、Ｈレベルを保持する。これにより、Ｄフリップフロップ８ａは、出力信号ＤＲＭＤ（ｂ）としてＨレベルを出力する。この出力信号ＤＲＭＤ（ａ）がＨレベルの場合、後段の選択部８ｇは、インパルス状の第１の駆動信号ＩＮＰ１を選択し、第１の駆動信号ＩＮＰ１を後段のＮＡＮＤゲート８ｆに出力する。ＮＡＮＤゲート８ｆは、制御信号ＬＭ（ｂ）がＬレベルの間、選択部８ｇからの出力に依存することなく、Ｈレベルを出力する。したがって、図３に示したプログラミング期間ｔａ〜ｔｂにおいて、インバータ８ｅからの出力であるパルス信号ＰＬＳ（ｂ）はＬレベルとなって、画素２へのデータ書き込みが行われる。なお、データ線駆動回路４は、駆動モード信号ＤＲＴＭがＬレベルの場合には、上述したインパルス駆動用の第１のグループを用いて、データ電圧Ｖｄａｔａを設定し、これをデータ電流Ｉｄａｔａに変換した上で、データ線Ｘ１〜Ｘｍに出力する。その後、制御信号ＬＭ（ｂ）がＨレベルになると、ＮＡＮＤゲート８ｆは、選択部８ｇから出力された第１の駆動信号ＩＮＰ１とは反対の論理レベルのパルス状の信号を出力する。これにより、制御信号ＬＭ（ｂ）がＨレベルの期間において、パルス信号ＰＬＳ（ａ）として、第１の駆動信号ＩＮＰ１と同様の波形、すなわち、パルス状のインパルス信号が出力される。パルス信号ＰＬＳ（ｂ）がパルス状になる期間（図３に示した駆動期間ｔｂ〜ｔｃに相当）では、制御トランジスタＴ４のオンとオフとが繰り返されるため、有機ＥＬ素子ＯＬＥＤのインパルス駆動が行われる。
【００５３】
ホールド駆動が行われる表示領域Ｃにおける任意の走査線ｃについては、上述した表示領域Ａと同様、結果的に、有機ＥＬ素子ＯＬＥＤのホールド駆動が行われる。
【００５４】
このように、本実施形態では、有機ＥＬ素子ＯＬＥＤの駆動モードを走査線単位（画素行単位）で設定し、かつ、表示対象に応じて駆動モードを切り替える。すなわち、動画を表示すべき画素行（表示領域Ｂ）に関しては、インパルス駆動が設定される。これにより、書込対象となる画素２に対応する走査線が選択されてからこの走査線が次に選択されるまでの期間よりも短い第１の発光期間で、有機ＥＬ素子ＯＬＥＤの駆動が行われる。これに対して、静止画を表示すべき画素行（表示領域Ａ，Ｃ）に関しては、ホールド駆動が設定される。これにより、書込対象となる画素２に対応する走査線が選択されてからこの走査線が次に選択されるまでの期間において、第１の発光期間よりも長い第２の発光期間で、有機ＥＬ素子ＯＬＥＤの駆動が行われる。このようなインパルス駆動を行うことで、画素２の光学応答をインパルス型に近づけることができ、かつ、有機ＥＬ素子ＯＬＥＤが非発光となる期間（黒表示の期間）が分散されるため、表示画像のちらつきの低減を図ることができる。それとともに、画素２の光学応答を改善することにより、動画表示等における疑似輪郭の発生も有効に抑制可能となる。
【００５５】
また、本実施形態によれば、走査線駆動回路３および駆動モード切替回路８の双方を含む走査線駆動系を主体とした制御で、駆動モードの切り替えを実現できる。したがって、駆動モードの切り替え機能の付加に伴う、電気光学装置の回路規模の増大や回路の複雑化を抑えることができる。
【００５６】
また、本実施形態によれば、インパルス駆動とホールド駆動とが混在した表示を行う場合に、同一階調の発光輝度を一致させることができる。なぜなら、ある中間階調を規定するデータに関して、インパルス駆動時のレベル値（電圧値）をホールド駆動時のレベル値（電圧値）よりも高く設定しているからである。これにより、駆動モードの違いに起因した、換言すれば、１フレームに占める発光期間の割合の違いに起因した、有機ＥＬ素子ＯＬＥＤの発光輝度のずれを解消できる。その結果、表示品質の一層の向上を図ることが可能となる。
【００５７】
なお、上述した実施形態では、第１の駆動信号ＩＮＰ１をインパルス信号とし、第２の駆動信号ＩＮＰ２をホールド信号とする例について説明した。しかしながら、後述する各実施形態も含めて、第２の駆動信号ＩＮＰ２は、ホールド信号である必要性は必ずしもなく、例えば、図８に示すように、第１の駆動信号ＩＮＰ１とは波形形状（デューティ比）が異なるパルス信号であってもよい。このようにしてパルス信号ＰＬＳの波形を調整することにより、有機ＥＬ素子ＯＬＥＤの時間平均の発光輝度を任意に設定することが可能となる。
【００５８】
（第２の実施形態）
本実施形態は、表示対象に応じた駆動モードの切り替えを、走査線駆動系の制御ではなく、電源線の電圧を可変制御することにより実現するものである。
【００５９】
図９は、本実施形態に係る電気光学装置のブロック構成図である。それぞれの画素２は、第１の電源線Ｌ１に共通接続されているとともに、走査線単位で設けられた第２の電源線Ｌ２に接続されている。第１の電源線Ｌ１の電圧は電源電圧Ｖｄｄに固定的に設定されている。一方、第２の電源線Ｌ２の電圧（後述する出力電圧Ｖｏｕｔ）は、有機ＥＬ素子ＯＬＥＤのインパルス駆動を実現すべく、可変に設定される。電源線制御回路９（１）〜９（ｎ）は、走査線単位で設けられており、対応する制御信号Ｓｃ（１）〜Ｓｃ（ｎ）に応じて、対応する出力電圧Ｖｏｕｔ（１）〜Ｖｏｕｔ（ｎ）を出力する。これらの出力電圧Ｖｏｕｔ（１）〜Ｖｏｕｔ（ｎ）は、走査線単位で設けられた第２の電源線Ｌ２（１）〜Ｌ２（ｎ）のうちの対応するものに供給される。例えば、最上の走査線Ｙ１に対応して設けられた電源線制御回路９（１）は、制御信号Ｓｃ（１）に応じて、最上の走査線Ｙ１の画素行に対応する第２の電源線Ｌ２（１）に対して、出力電圧Ｖｏｕｔ（１）を供給する。これにより、図２に示した画素回路において、キャパシタＣの他方の電極および駆動トランジスタＴ３のソースには、固定的な電源電圧Ｖｄｄが印加され、有機ＥＬ素子ＯＬＥＤのカソード（陰極）には、可変的な出力電圧Ｖｏｕｔが印加される。それぞれの電源線制御回路９（１）〜９（ｎ）は、駆動モード選択部７より出力された制御信号Ｓｃ（１）〜Ｓｃ（ｎ）のいずれかによって制御される。なお、図１に示したものと同一のブロックについては同一の符号を付して、ここでの説明を省略する。
【００６０】
１つの電源線制御回路９は、制御回路５からの１つの制御信号Ｓｃに応じて、第２の電源線Ｌ２の電圧である出力電圧Ｖｏｕｔを可変に制御する。図１０は、電源線制御回路９の回路図である。この電源線制御回路９は、ＣＭＯＳインバータ９ａと、増幅器であるオペアンプ９ｂとによって構成されている。このインバータ９ａは、２つの固定電圧Ｖｏｆｆ，Ｖｓｓとの間に直列接続されたｎチャネル型トランジスタとｐチャネル型トランジスタとを有し、その入力となる制御信号Ｓｃのレベルに応じて、電圧Ｖｏｆｆ，Ｖｓｓを択一的に出力する。ここで、オフ電圧Ｖｏｆｆは電源電圧Ｖｄｄ以上の所定の電圧であり、電圧Ｖｓｓは電源電圧Ｖｄｄよりも低い所定の電圧である（Ｖｏｆｆ≧Ｖｄｄ＞Ｖｓｓ）。インバータ９ａから出力された出力電圧Ｖｉｎ＋は、オペアンプ９ｂの非反転入力端（＋入力端）に入力される。オペアンプ９ｂによって構成される回路は、ユニティゲイン・バッファと呼ばれるバッファ回路であるが、ソースフォロワ回路を含む電圧フォロワ回路を用いてもよい。オペアンプ９ｂから出力される出力電圧Ｖｏｕｔは、電源制御信号Ｓｃのレベルを反転させた出力波形を有する。後段の回路に対して十分な駆動能力を確保すべく、インバータ９ａを構成するトランジスタの利得係数βは大きく、オペアンプ９ｂのスルーレートは高く設定されている。
【００６１】
電源線制御回路９からの出力電圧Ｖｏｕｔは、電圧Ｖｓｓ，Ｖｏｆｆのいずれかに設定され、これにより、図２に示した画素２を構成する有機ＥＬ素子ＯＬＥＤの発光状態が制御される。具体的には、制御信号ＳｃがＨレベルの場合、オペアンプ９ｂから出力される出力電圧Ｖｏｕｔは、電源電圧Ｖｄｄよりも低い電圧Ｖｓｓとなる。この場合、有機ＥＬ素子ＯＬＥＤのカソードには、第２の電源線Ｌ２を介して電圧Ｖｓｓが印加される。有機ＥＬ素子ＯＬＥＤのアノードには、第１の電源線Ｌ１を介して電源電圧Ｖｄｄが印加されているため、Ｖｓｓ印加時には、有機ＥＬ素子ＯＬＥＤには順バイアス（順方向電圧）が印加される。その結果、第１の電源線Ｌ１から第２の電源線Ｌ２に向かって駆動電流Ｉｏｌｅｄが流れ得るため、有機ＥＬ素子ＯＬＥＤの発光が許容される。これに対して、制御信号ＳｃがＬレベルの場合、オペアンプ９ｂから出力される出力電圧Ｖｏｕｔは、電源電圧Ｖｄｄ以上のオフ電圧Ｖｏｆｆとなり、このオフ電圧Ｖｏｆｆが有機ＥＬ素子ＯＬＥＤのカソードに印加される。したがって、有機ＥＬ素子ＯＬＥＤには、順バイアスでないバイアス、すなわち、非順バイアスが印加される。ここで、オフ電圧Ｖｏｆｆを電源電圧Ｖｄｄよりも高い電圧に設定した場合、非順バイアスは逆バイアス（逆方向電圧）に相当する。また、オフ電圧Ｖｏｆｆを電源電圧Ｖｄｄとほぼ同等の電圧に設定した場合（正確には、０≦Ｖｄｄ−Ｖｏｆｆ＜Ｖｔｈ（Ｖｔｈは有機ＥＬ素子ＯＬＥＤの閾電圧））、非順バイアスはバイアスが印加されない状態に相当する。このような非順バイアス印加時には、有機ＥＬ素子ＯＬＥＤの整流作用によって、駆動電流Ｉｏｌｅｄの流れが阻止されるため、キャパシタＣの蓄積電荷に関わりなく、有機ＥＬ素子ＯＬＥＤは発光しない。
【００６２】
図１１は、図５に示したケースにおける線順次走査によるタイミングチャートである。表示領域Ａを線順次走査する期間ｔ０〜ｔ１において、駆動モード信号ＤＲＴＭは、ホールド駆動を指示するＬレベルに維持されている。走査線駆動回路３は、走査線ａの選択開始タイミングにおいて、この走査線ａに供給する走査信号ＳＥＬ（ａ）をＬレベルからＨレベルに立ち上げ、このＨレベルを１水平走査期間分だけ維持する。この期間では、走査線ａに対応する画素行において、キャパシタＣにデータが書き込まれるが、これに対応する制御信号Ｓｃ（ａ）がＬレベルに維持されている。したがって、この画素行の有機ＥＬ素子ＯＬＥＤには非順バイアスが印加されるため、これらは非発光状態に設定される（黒表示）。
【００６３】
その後、走査線ａの選択が終了すると、それ以前はＬレベルだった制御信号Ｓｃ（ａ）はＨレベルへと変化し、この状態が所定期間だけ維持される。制御信号ＳｃがＨレベルの場合、電源線Ｌ１，Ｌ２間の電圧関係がＶｄｄ＞Ｖｏｕｔ（＝Ｖｓｓ）となるため、有機ＥＬ素子ＯＬＥＤに順バイアスが印加される。したがって、第１の電源線Ｌ１から第２の電源線Ｌ２に向かって、駆動トランジスタＴ３と有機ＥＬ素子ＯＬＥＤとを介した、駆動電流Ｉｏｌｅｄの電流経路が形成され得る。その結果、有機ＥＬ素子ＯＬＥＤは駆動電流Ｉｏｌｅｄに応じた輝度で発光する。このように、制御信号Ｓｃ（ａ）をＨレベルに維持することで、有機ＥＬ素子ＯＬＥＤの駆動モードはホールド駆動となり、走査線ａが再び選択されるまでこれが継続される。
【００６４】
つぎに、表示領域Ｂにおける任意の走査線ｂに対応する画素行に関しては、この画素行の１垂直走査期間のうちの前半期間において、走査線ｂが選択されて、データ書き込みが行われる。この期間では、対応する制御信号Ｓｃ（ｂ）がＬレベルに維持され、この画素行の有機ＥＬ素子ＯＬＥＤには非順バイアスが印加されるため、これらは非発光状態に設定される。走査線Ｙｂの選択後、これが次に選択されるまでの期間では、制御信号Ｓｃ（ｂ）がパルス波形に変化するため、走査線ｂに対応する画素行における有機ＥＬ素子ＯＬＥＤのインパルス駆動が行われる。
【００６５】
ホールド駆動が行われる表示領域Ｃにおける任意の走査線ｃについては、上述した表示領域Ａと同様、結果的に、有機ＥＬ素子ＯＬＥＤのホールド駆動が行われる。
【００６６】
本実施形態では、電源線制御回路９（１）〜９（ｎ）を走査線単位で設け、第２の電源線Ｌ２（１）〜Ｌ２（ｎ）の電圧を独立して可変設定することにより、走査線単位での駆動モードの切り替えを実現している。したがって、表示対象に応じた駆動モードを、走査線単位で選択できるため、表示部１の全体的な表示品質の一層の向上を図ることができる。また、かかる機能を電気光学装置の一機能として付加することにより、電気光学装置の回路規模の増大や回路の複雑化を抑えることができる。さらに、駆動モードに応じたデータレベルを設定することにより、駆動モードの違いに起因した発光輝度のずれを解消できる。
【００６７】
なお、上述した実施形態では、第１の電源線Ｌ１を固定電圧Ｖｄｄ、第２の電源線Ｌ２（１）〜Ｌ２（ｎ）を可変電圧Ｖｏｕｔにそれぞれ設定しているが、第２の電源線Ｌ１の電圧を可変に設定してもよい。この場合、第１の電源線Ｌ１の電圧Ｖｏｕｔとして、２つの固定電圧Ｖｏｆｆ，Ｖｄｄのいずれかを出力する。ここで、オフ電圧Ｖｏｆｆは所定の電圧Ｖｓｓ以下の所定の電圧であり、電源電圧Ｖｄｄは所定の電圧Ｖｓｓよりも高い電圧である（Ｖｏｆｆ≦Ｖｓｓ＜Ｖｄｄ）。なお、この場合、電源線制御回路９（１）〜９（ｎ）は、図１０の回路構成をそのまま用いることができるが、同図に示したインバータ９ａの２つの電圧端子のうち、オフ電圧Ｖｏｆｆ側を電源電圧Ｖｄｄ、電圧Ｖｓｓ側を本実施形態でいうオフ電圧Ｖｏｆｆにそれぞれ変更する必要がある。また、２つの電源線Ｌ１，Ｌ２のそれぞれに電源線制御回路９を別個に設け、双方の電源線Ｌ１，Ｌ２の電圧を可変設定することにより、印加バイアスの切り替えを行うことも可能である。例えば、有機ＥＬ素子ＯＬＥＤに順バイアスを印加する場合、第１の電源線Ｌ１の電圧をＶｄｄ、第２の電源線Ｌ２の電圧をＶｓｓに設定し、非順バイアスを印加する場合、第１の電源線Ｌ１の電圧を１／２Ｖｄｄ、第２の電源線Ｌ２の電圧も１／２Ｖｄｄに設定するといった如くである。
【００６８】
なお、上述した各実施形態では、電気光学素子として有機ＥＬ素子ＯＬＥＤを用いた例について説明した。しかしながら、本発明はこれに限定されるものではなく、それ以外の、駆動電流に応じた輝度で発光する電気光学素子に対して適用可能である。また、図２に示した画素２の回路構成は一例であって、本発明はこれに限定されるものではない。本発明は、例えば、特表２００２−５１４３２０号公報に開示された電流プログラム方式の画素回路、特開２００１−１４７６５９号公報に開示されたカレントミラー型の画素回路、或いは、電圧プログラム方式の画素回路等に対しても適用可能である。
【００６９】
さらに、上述した各実施形態に係る電気光学装置は、例えば、テレビ、プロジェクタ、携帯電話機、携帯端末、モバイル型コンピュータ、パーソナルコンピュータ等を含む様々な電子機器に実装可能である。これらの電子機器に上述した電気光学装置を実装すれば、電子機器の商品価値を一層高めることができ、市場における電子機器の商品訴求力の向上を図ることができる。
【００７０】
【発明の効果】
本発明によれば、駆動電流に応じた輝度で発光する電気光学素子を用いた電気光学装置において、表示すべき対象に応じて、異なる駆動モードを走査線単位で選択できる。これにより、それぞれの表示対象の特性に適した駆動モードを適用できるので、全体的な表示品質の向上を図ることができる。それとともに、駆動モードの切り替え機能を電気光学装置自身に付加することにより、これを比較的簡単な構成で実現することができる。
【図面の簡単な説明】
【図１】第１の実施形態に係る電気光学装置のブロック構成図
【図２】有機ＥＬ素子を含む画素の一例を示す回路図
【図３】画素の駆動タイミングチャート
【図４】データカウント部のブロック構成図
【図５】駆動モード信号ＤＲＴＭの説明図
【図６】駆動モード切替回路の回路図
【図７】第１の実施形態に係る線順次走査のタイミングチャート
【図８】駆動信号ＩＮＰ１，ＩＮＰ２のパルス波形を示す図
【図９】第２の実施形態に係る電気光学装置のブロック構成図
【図１０】電源線制御回路の回路図
【図１１】第２の実施形態に係る線順次走査のタイミングチャート
【符号の説明】
１  表示部
２  画素
３  走査線駆動回路
４  データ線駆動回路
５  制御回路
６  データカウント部
６ａ  カウント回路
６ｂ  アドレス回路
６ｃ  メモリ
６ｄ〜６ｆ  カウント数格納部
６ｇ  カウント数比較回路
７  駆動モード選択部
８  駆動モード切替回路
８ａ    Ｄフリップフロップ
８ｂ，８ｃ  トランスミッションゲート
８ｄ，８ｅ  インバータ
８ｆ  ＮＡＮＤゲート
８ｇ  選択部
９  電源線制御回路
９ａ    ＣＭＯＳインバータ
９ｂ    オペアンプ
Ｔ１    第１のスイッチングトランジスタ
Ｔ２    第２のスイッチングトランジスタ
Ｔ３    駆動トランジスタ
Ｔ４    制御トランジスタ
Ｃ    キャパシタ
ＯＬＥＤ  有機ＥＬ素子
【図１】
2004252105.tif 000003
【図２】
2004252105.tif 000004
【図３】
2004252105.tif 000005
【図４】
2004252105.tif 000006
【図５】
2004252105.tif 000007
【図６】
2004252105.tif 000008
【図７】
2004252105.tif 000009
【図８】
2004252105.tif 000010
【図９】
2004252105.tif 000011
【図１０】
2004252105.tif 000012
【図１１】
2004252105.tif 000013